(57)【特許請求の範囲】
【請求項１】
放電部と対極部とからなり、放電部から対極部に向かう放電により粉塵を帯電させる帯電部と、帯電した粉塵を捕集するための集塵部と、帯電部及び集塵部に空気を送る送風手段とを備えた空気清浄器において、対極部が多数の開口孔を有する導電板で構成され、この導電板は複数の円弧部が連続して配列された断面波形形状に形成され、且つ各円弧部の略中心に放電部がそれぞれ位置しており、導電板における上記複数の円弧部の配列方向に沿う端部が折り曲げられており、上記放電部が取り付けられる電極枠の両端部には上記導電板の折り曲げられた端部を保持するための突起部が設けられ、突起部は、電極枠の端部の上下方向の略中央部から内側に向けて突出した水平リブと、電極枠の端部と隙間をあけて配置される垂直リブとからなり、垂直リブと電極枠の端部との間が上方に開口した収納部となっていると共に、電極枠の突起部が設けられた端部と直交する側部に、導電板の側部を載置する波形状の導電板支持部を突設させたことを特徴とする空気清浄器。
【請求項２】
導電板における各円弧部の配列方向に沿う端部を折り曲げて、回路と電気的に接続される接点接触部としたことを特徴とする請求項１記載の空気清浄器。
【請求項３】
導電板の接点接触部が、回路と電気的に接続される集塵部の接点接触部と共通化されていることを特徴とする請求項２記載の空気清浄器。
【発明の詳細な説明】
【０００１】
【発明の属する技術分野】
本発明は、室内空気中に含まれる粉塵や臭気等を除去して空気の清浄化を行う空気清浄器に関するものである。
【０００２】
【従来の技術】
空気中に含まれる粉塵を放電により帯電させ、集塵部でクローン力により電気的に集塵する手段を備えた室内空気清浄器において、帯電部２′は、図１７〜図１９に示すように、放電線２６と、送風方向と平行に配置された導電板７′と、これらを収納する電極枠２５とで構成される場合が多い。また、帯電部２′で放電を行うためには、放電線２６と導電板７′の間に高電圧を印加する必要があるが、従来は、電極枠２５の一側部に放電線２６を高圧発生回路に電気的に接続するための放電用端子部７１、他側部に導電板７′を高圧発生回路に電気的に接続するための接点接触部１０′をそれぞれ配置している。なお図１９中の２８はコイルバネ、３０はチューブ、７０は絶縁被覆部である。
【０００３】
ここで、図１８に示すように、導電板７′が送風方向と平行に配置されている場合は、放電線２６と最も近いエッジ部５０に放電が集中するため、放電が図１８の矢印イで示すように直線方向となる。このため、粉塵が帯電部２を通過する際の時間が短くなり、粉塵が帯電されるチャンスが少なくなって帯電効率が低下するという問題が生じる。
【０００４】
一方、図２０に示すように、導電板７′を送風方向と垂直方向に配置した場合にあっては、導電板７′の平面との間で放電が行われるため、放電範囲が広がり、帯電のチャンスは増えるが、その反面、導電板７′が送風の妨げになるため、風量が低下したり、騒音が増すなどの別の問題が生じる。
【０００５】
【発明が解決しようとする課題】
本発明は上記の点に鑑みてなされたものであり、その目的とするところは、送風性能を低下させることなく粉塵の帯電効率を上げることができ、集塵性能を向上させることができる空気清浄器を提供するにあり、また別の目的とするところは、容易な加工方法で導電板の接点接触部を形成することができる空気清浄器を提供するにあり、また別の目的とするところは帯電部と集塵部と回路相互の配線等を簡略化できると共に、コストダウンを図ることができる空気清浄器を提供するにあり、また別の目的とするところは、電極枠に強度を持たせて変形を防止でき、電極枠の取り扱い性を向上させることができると共に、導電板が洗浄の際に変形した場合でも、電極枠によって導電板の変形に対する矯正を行うことができ、粉塵の帯電効率を下げることなく、集塵性能を維持できるようにした空気清浄器を提供するにある。
【０００６】
【課題を解決するための手段】
上記課題を解決するために、本発明は、放電部３と対極部４とからなり、放電部３から対極部４に向かう放電により粉塵を帯電させる帯電部２と、帯電した粉塵を捕集するための集塵部６と、帯電部２及び集塵部６に空気を送る送風手段とを備えた空気清浄器において、対極部４が多数の開口孔１４を有する導電板７で構成され、この導電板７は複数の円弧部９が連続して配列された断面波形形状に形成され、且つ各円弧部９の略中心Ｍに放電部がそれぞれ位置しているから、導電板７の各円弧部９において、それぞれ、放電部３から導電板７に向かって放射状に放電が行われることとなり、放電範囲が広がって粉塵が帯電部２を通過する際の時間が長くなり、粉塵が帯電されるチャンスが増大する。しかも、導電板７には多数の開口孔１４が形成されているので、送風の妨げにならず、風量の低下 防止、騒音防止を図ることができる。
さらに、上記導電板７は複数の円弧部９が連続して配列された断面波形形状に形成され且つ各円弧部９の配列方向Ａに沿う端部８ｂが折り曲げられており、電極枠２５の両端部２５ｂには上記導電板７の折り曲げられた端部８ｂを保持するための突起部４５が設けられ、突起部４５は、電極枠２５の端部２５ｂの上下方向の略中央部から内側に向けて突出した水平リブ４５ｂと、電極枠２５の端部２５ｂと隙間をあけて配置される垂直リブ４５ａとからなり、垂直リブ４５ａと電極枠２５の端部２５ｂとの間が上方に開口した収納部３２となっていると共に、突起部４５を設けた電極枠２５の端部２５ｂと直交する側部２５ａに、導電板７の側部８ａを載置する波形状の導電板支持部２９を突設させているので、導電板７の折り曲げられた端部８ｂを電極枠２５の両端部２５ｂに設けた突起部４５に挿入することにより、電極枠２５に強度を持たせることができる。つまり、突起部４５は電極枠２５の補強リブの役割を兼ねており、更に導電板７の折り曲げられた端部８ｂを突起部４５の収納部３２に挿入して保持することにより、導電板７により電極枠２５が補強されることとなり、従って、空気が抵抗なく通過できるようにするための空洞部を多く有している電極枠２５であっても、例えば本体ケース１５から取り出した際に電極枠２５が変形するのを防止できる。また、導電板７が洗浄の際に変形したような場合においても、導電板７の折り曲げられた端部８ｂを電極枠２５の突起部４５に挿入すると共に電極枠２５の側部２５ａに設けた波形状の導電板支持部２９に導電板７の側部８ａを載置することで、さらに加えて導電板７の折り曲げられた端部８ｂの内面が突起部４５の垂直リブ４５ａに保持されて導電板７の変形が防がれることで、電極枠２５によって導電板７の変形に対する矯正を行うことができる。
【０００７】
上記導電板７における各円弧部９の配列方向Ａに沿う端部を折り曲げて、回路と電気的に接続される接点接触部１０とするのが好ましく、この場合、簡単なプレス加工で円弧部９の波形形状と接点接触部１０の垂直曲げ形状とを同時に且つ簡単に形成することができる。
【０００８】
上記導電板７の接点接触部１０が、回路と電気的に接続される集塵部６の接点接触部と共通化されているのが好ましく、この場合、帯電部２と集塵部６と回路相互の配線を簡略化できる。
【００１０】
【発明の実施の形態】
以下、本発明の実施の形態を説明する。
【００１１】
空気清浄器１の本体ケース１５は、前面側が大きく開口しており、図６及び図７に示すように、前面側の開口部を覆うようにして前カバー１６が着脱自在に取り付けられている。前カバー１６はその下半分が吸込口１７となっており、この吸込口１７として例えば網状または多数の小孔を形成したり、或いはルーバ片間に吸い込み口を形成したりしてある。また本体ケース１５の下面も網状或いは多数の小孔状の吸込口１８となっている。尚図６中の６０は表示パネル、６１は脚部である。
【００１２】
本体ケース１５内部は、図８に示すように、上側の送風部１９と下側の集塵部６とに大別されている。ここでは本体ケース１５内部の下側にフィルターブロック２４が収納され、その左右両側部がフィルター支持部（図示せず）で支持されている。フィルターブロック２４は、下から順にプレフィルター２３、粉塵を帯電させる帯電部２、帯電した粉塵を捕集するための集塵部６とが配置されている。フィルターブロック２４は、前カバー１６を取り外した状態で、手前に引き出すことができるように着脱自在に取り付けられている。
【００１３】
上記帯電部２は、空気中の粉塵を帯電させる粉塵荷電手段を構成しており、図１〜図５に示すように、本体ケース１５の上下方向に開口する矩形状の電極枠２５と、この電極枠２５内の下側に配置された放電線２６と、電極枠２５内の上側に配置された導電板７とで構成されている。放電線２６の端部は、図１９に示すコイルばね２８により張力が与えられた状態で金属製の放電線支持部材５５に引っ掛けられて電極枠２５に取り付けられている。また放電線２６の片側端部または両端部にゴム製或いは合成樹脂製の弾性及び絶縁性を有するチューブ３０を被せ、振動を吸収する構造となっている。放電線２６は例えば線形の細いタングステン線或いはピアノ線で形成されている。尚放電線２６の代わりに放電用電極として薄板状の打ち抜き針を用いてもよい。このように構成された帯電部２は、前カバー１６を取り外すことで本体ケース１５から着脱可能となっている。
【００１４】
放電線２６の上方に配置される導電板７は、例えば図１に示すような断面波形形状の導電性鋼鈑よりなるパンチングネット８で構成されている。このパンチングネット８は、その全面にわたって多数の開口孔（小孔）１４が穿設されていると共に、プレス加工によって複数の円弧部９が連続して配列された断面波形形状に形成されている。さらにパンチングネット８の幅方向（各円弧部９の配列方向Ａ）の両端部８ｂは、下方に垂直に折り曲げられており、この曲げ部分がＧＮＤ接点１２に接触する接点接触部１０となっている。
【００１５】
一方、電極枠２５の両端部２５ｂには、図３に示すように、パンチングネット８の折り曲げられた端部８ｂを保持するための突起部４５がそれぞれ設けられている。この突起部４５は電極枠２５の変形防止と、パンチングネット８の変形を矯正する役割を有している。本実施形態では、突起部４５は、電極枠２５の端部２５ｂの上下方向の略中央部から内側に向けて突出した水平リブ４５ｂと、電極枠２５の端部２５ｂと隙間をあけて配置される垂直リブ４５ａとからなり、垂直リブ４５ａと電極枠２５の端部２５ｂとの間に上方に開口した凹状のパンチングネット収納部３２が設けられている。そして、パンチングネット８の折り曲げられた端部８ｂを突起部４５の上方から挿入することで、折り曲げられた端部８ｂの内面が突起部４５の垂直リブ４５ａに保持されてパンチングネット８の変形が防がれるようになっている。さらに、上記突起部４５が設けられている電極枠２５の端部２５ｂと直交する側部２５ａの内面側には、波形状をした導電板支持部２９が突設されており、この波形状の導電板支持部２９にパンチングネット８の側部８ａが載置されるようになっている。
【００１６】
また上記パンチングネット８は、図２〜図５に示す導電板固定部材３１により電極枠２５に固定される。導電板固定部材３１は、図５に示すように、電極枠２５の両側部２５ａに回動自在に支持されており、この導電板固定部材３１の下面側には、上方に突出した導電板支持突起３０が設けられている。そして、導電板固定部材３１を図３、図５（ａ）に示す起立状態とし、パンチングネット８の長さ方向（各円弧部９の配列方向Ａと直交する方向）の両側部８ａ，８ａを左右の導電板支持突起３０にそれぞれ載置する。このとき、パンチングネット８の折り曲げられた端部８ｂは図３に示す電極枠２５の両端部２５ｂに設けた突起部４５にそれぞれ挿入されて保持されると同時に、パンチングネット８の両側部８ａが電極枠２５の両側部２５ａに設けた波形状の導電板支持部２９にそれぞれ載置された状態となる。この状態で、図４、図５（ｂ）に示すように、導電板固定部材３１を倒してその先端に設けた凸状フック３３を電極枠２５の内壁に設けた凹状孔３４に嵌め込むことによって、パンチングネット８の両側部８ａを導電板固定部材３１と導電板支持突起３０との間で挟持でき、電極枠２５にワンタッチで固定できるようにしてある。
【００１７】
フィルターブロック２４の片側サイドには高圧接点４０（図７）が配設されており、高圧接点４０を介して上記放電線２６と高圧発生回路（図示せず）とが電気的に接続され、放電線２６には例えば＋６．５ｋＶの電圧が印加されるようになっている。また、集塵部６及び脱臭部２１の最も奥の部分には、図８に示すように、ＧＮＤ接点１２，１３が設けられており、パンチングネット８と集塵部６とがＧＮＤ接点１２，１３を介して回路の接地側に接続されている。このＧＮＤ接点１２，１３は、図９に示すように、１枚の導電性の金属板５０をプレス加工することによって形成されており、集塵部６の接点接触部２０に接触するＧＮＤ接点１２と、パンチングネット８の接点接触部１０に接触するＧＮＤ接点１３とが一体に設けられている。
【００１８】
また本実施形態では、電極枠２５の背面壁の一部が切り欠かれており、パンチングネット８を収納したときに、パンチングネット８の接点接触部１０の一部が該切欠孔６０（図２）より帯電部２の背面側に露出するようになっており、これにより、帯電部２を本体ケース１５に装着した状態では、パンチングネット８の曲げ部分である接点接触部１０の一部が本体ケース１５の奥側のＧＮＤ接点１２と接触できるようにしてある。
【００１９】
一方、集塵部６は、例えば導電性の繊維が配合された濾材からなる集塵フィルター６ａからなり、この集塵フィルター６ａの下流側に、活性炭等からなる脱臭フィルター２１ａで構成された脱臭部２１が配置されている。導電性の繊維が配合された集塵フィルター６ａは前記ＧＮＤ接点１３を通じて接地されている。この脱臭部２１の下流側に設けられる送風部１９には、図７に示すモータ３６が設置されると共に、ファン収納部３７が設けてあり、このファン収納部３７にファン５が配置してある。本体ケース１５の上面部には、排出口３８が設けられている。
【００２０】
しかして、ファン５が回転すると、図７の矢印ハ、ニで示すように、前カバー１６の吸込口１７及び本体ケース１５の下面の吸込口１８から集塵部６に向けて空気が吸い込まれ、プレフィルター２３で大きな粉塵が捕集され、帯電部２で小さな粉塵がプラスに帯電され、このプラスイオンに帯電した粉塵は、回路の接地側に接続されている集塵部６にクーロン力で引き寄せられて捕集される。集塵部６で粉塵を除去された空気は、その上方にある脱臭部２１（図１０）で臭気を除去され、浄化・無臭化された空気がファン５を経て排出口３８から上方に排出される。
【００２１】
ここで、帯電部２において、導電板７として多数の開口孔１４を有するパンチングネット８を使用し、このパンチングネット８を複数の円弧部９が連続して配列された断面波形形状に形成すると共に各円弧部９の略中心Ｍに放電線２６をそれぞれ位置させてあるので、放電線２６からパンチングネット８に向かう放電は、図１の矢印ロで示すような放射状となり、粉塵が帯電部２を通過する際の時間が長くなる。これにより粉塵が帯電されるチャンスが増大して帯電効率が向上し、集塵性能が良くなる。しかもパンチングネット８を送風方向と垂直方向に配置することで、放電範囲が広がり、帯電のチャンスが更に増える上に、パンチングネット８には多数の開口孔１４が形成されているので、送風の妨げにならず、風量が低下したり、騒音が増したりする問題は生じないものである。
【００２２】
また、パンチングネット８における各円弧部９の配列方向Ａの両端部をそれぞれ垂直に折り曲げて、ＧＮＤ接点１２に接触する接点接触部１０としているので、容易な加工方法で接点接触部１０を形成できる。つまり、パンチングネット８に形成された各円弧部９の配列方向Ａと同じ方向に接点接触部１０が形成されているので、深絞りなどの複雑な加工をすることなく、簡単なプレス加工で円弧部９の波形形状と接点接触部１０の垂直曲げ形状とを同時に容易に形成することが可能となる。ちなみに従来では導電板の両端部に曲げ加工を施しているが、特に粉塵の帯電効率を向上させるために導電板の中央部分の形状を複雑な曲面形状に形成しようとすると、深絞りなどの複雑な加工が必要となる。
【００２３】
また、本実施形態では、パンチングネット８の接点接触部１０に接触するＧＮＤ接点１２，１３の位置を、従来のような本体ケース１５内部の側面位置から奥側の位置に移動させてあり、一方、電極枠２５の背面壁の一部に切り欠き形成された切欠孔６０よりパンチングネット８の接点接触部１０の一部を露出させているので、帯電部２を本体ケース１５に装着した状態で、パンチングネット８の曲げ部分である接点接触部１０の一部を本体ケース１５の奥側のＧＮＤ接点１２に接触させることができる。そのうえ、このＧＮＤ接点１２と集塵部６の接点接触部１０が接触するＧＮＤ接点１３とを共通の接点部材５０に設けたことによって、帯電部２と集塵部６をＧＮＤ接点１２，１３に容易に且つ確実に接地できるようになり、従って、帯電部２と集塵部６と回路相互の配線を簡略化できると共に、低コスト化と組立の簡略化とを実現できるものである。
【００２４】
ところで、空気中に含まれる粉塵を放電により帯電させ、集塵部６でクーロン力により電気的に集塵する空気清浄器１において、帯電部２は放電線２６とパンチングネット８とこれらを収納する電極枠２５とで構成されているが、帯電部２で粉塵を帯電させるためには、なるべく空気が抵抗なく通過できることが望まれ、そのための電極枠２５は空洞部を多く有しており、しかも放電線２６とパンチングネット８との間で高電圧を印加し、放電を行っているため、高圧のかかっている放電線２６の近くに補強用の成形品などを配置することができず、このため従来では電極枠２５は強度的に弱いという問題があり、また、パンチングネット８には帯電した粉塵が付着し、粉塵が堆積すると異常放電が起こり、異常音が発生する。その防止のために、パンチングネット８は定期的に洗浄する必要があるが、洗浄の際にパンチングネット８を変形させてしまうという問題がある。
【００２５】
かかる問題を解決するために、本発明では、図３、図４に示すように、パンチングネット８の各円弧部９の配列方向Ａに沿う両端部８ｂを下方に折り曲げた形状とし、折り曲げられた両端部８ｂを電極枠２５の両端部２５ｂの内側に突設させた突起部４５にそれぞれ挿入することによって、電極枠２５に強度を持たせることができる。ここで、突起部４５は電極枠２５の補強リブの役割を兼ねており、更にパンチングネット８の折り曲げられた端部８ｂを突起部４５に挿入して保持することにより、パンチングネット８により電極枠２５が補強されることとなり、従って、空気が抵抗なく通過できるようにするための空洞部を多く有している電極枠２５であっても、本体ケース１５から取り出す際に例えば図１１（ｂ）のＢで示すように、変形してしまうのを防止できるものであり、これにより、電極枠２５の取り扱いがしやすくなる。尚図１１中の８０は取手部である。また、パンチングネット８が洗浄の際に変形したような場合においても、図１２（ａ）（ｂ）に示すように、パンチングネット８の折り曲げられた端部８ｂを電極枠２５の両端部２５ｂに設けた突起部４５にそれぞれ挿入することで、パンチングネット８の変形に対する矯正を行うことができる。その後、図５のようにパンチングネット８の長さ方向（各円弧部９の配列方向Ａと直交する方向）の両側部８ａ，８ａを左右の導電板支持突起３０にそれぞれ載置して導電板固定部材３１を倒し、凸状フック３３を電極枠２５の内壁に設けた凹状孔３４に嵌め込むことによって、パンチングネット８の両側部８ａを導電板固定部材３１と導電板支持突起３０との間でワンタッチで固定できる。これにより、パンチングネット８の変形を矯正して電極枠２５に固定できるので、パンチングネット８の各円弧部９と放電線２６との位置ずれ等を防止できる結果、粉塵の帯電効率を下げることなく、集塵性能を維持することができるものである。
【００２６】
なお、前記各実施形態では、集塵部６と脱臭部２１とを一体に設けた場合を説明したが、別々に構成されてもよく、またその配置順序も特に限定されず、集塵部６と脱臭部２１は帯電部２以降の空気通過路中にあればよいものである。
【００２７】
また、図１０に示すように、集塵部６と脱臭部２１とを、通気性が良好で且つ導電材料が配合されたカバー３５で覆うようにしてもよいものである。
【００２８】
さらに、集塵部６はフィルター構造に限られるものではなく、例えば金属板を風路と平行に配列し、交互に電位を与えることによって電界を発生させる形態のものであってもよいものである。
【００２９】
図１３は、図８の本体ケース１５内部の下側に収納されるフィルターブロック２４の一例を示している。本実施形態のフィルターブロック２４は、集塵フィルター部６ａと、中敷シート６ｃと、脱臭フィルター部６ｂと、ハニカムコア部６ｄと、導電性カバーリング材６ｅとからなる。図中のイは風の向きである。集塵フィルター部６ａは、例えばＰＥＴ繊維と極細ＰＰ繊維（エレクトレット処理）の２枚の不織布から構成され、２枚の不織布をバインダーにより一体化してある。この集塵フィルター部６ａで空気清浄器内に吸い込まれた空気内の粉塵が捕集される。
【００３０】
脱臭フィルター部６ｂは、本実施形態では、粒径、形状の異なる活性炭などの４種類の消臭剤ａ，ｂ1，ｂ2，ｂ3から構成され、これらのうち最も小径の消臭剤ａを集塵フィルター部６ａの蛇腹部分に充填し、残りの３種類の消臭剤ａ，ｂ1，ｂ2，ｂ3を中敷シート６ｃよりも下流側のハニカムコア部６ｄに充填してある。これは、集塵フィルター部６ａの蛇腹のピッチが狭く、ピッチ間に消臭剤ａを詰めすぎたり、粒径の大きい消臭剤ｂ1，ｂ2，ｂ3を積めたりすると、製造工程での充填作業の複雑化を招くと共に、フィルターの圧損を増加させてしまう原因となる。そこで、フィルターの蛇腹部分とハニカムコア部６ｄとに分離して充填することによって、フィルターブロック２４のコンパクト化、低圧損化を図ることができるものである。勿論、消臭剤の種類は４種類に限られないものである。
【００３１】
ここで上記ハニカムコア部６ｄは、風の向きイと略平行に配置された蜂の巣状の個室を多数有しており、３種類の球状、俵状の粒子形状の消臭剤ｂ1，ｂ2，ｂ3を各個室になるべく均等となるように充填してある。これにより、ハニカムコア部６ｄによって消臭剤ｂ1，ｂ2，ｂ3の充填のバラツキ、移動、偏りを防止できるようになっている。
【００３２】
また上記中敷シート６ｃは、集塵フィルター部６ａの蛇腹部分の消臭剤ａとハニカムコア部６ｄの消臭剤ｂ1，ｂ2，ｂ3とを分離する目的で、集塵フィルター部６ａとハニカムコア部６ｄとの間に設けられている。この中敷シート６ｃは消臭剤ａの粒径より細かいメッシュで形成され、中敷シート６ｃを蛇腹部分に接着させるための接着シート（図示せず）が一体に設けられている。このように中敷シート６ｃを集塵フィルター部６ａの蛇腹部分に接着することによって、蛇腹部分に充填されている消臭剤ａが蛇腹間で移動するのを抑制できるものである。
【００３３】
また、上記導電性カバーリング材６ｅは、フィルターブロック２４の最下流部に配置されている。この導電性カバーリング材６ｅは、導電性の繊維が織り込まれたものであり、ハニカムコア部６ｄに熱溶着されている。この導電性カバーリング材６ｅは、消臭剤ｂ1，ｂ2，ｂ3のバラツキ、漏れを防止する働きのほかに、回路と電気的に接続されている接点部１３（図８）と接触することにより、フィルターブロック２４が電荷を帯びるのを防止する働きがある。
【００３４】
本発明の更に他の実施例を図１４に示す。ちなみに、空気清浄器１はダストセンサ８５により室内の汚れを検知し、汚れ具合に応じて運転の強弱が自動的に切り替わるようになっており、それに応じてダストセンサ８５へ流入する空気の量も変化する。特に送風用ファンが停止した状態では、ダストセンサ８５内に強制的に空気を送り込むことができず、室内気流に頼ったものとなり、室内の汚れが検知しづらいという問題がある。また、従来ではダストセンサ８５の検知部分は、本体ケース１５の外面のうちの一面側に開口部を設け、その開口部の内側に設置される場合が多く、この場合、一方向からの検知に関しては比較的良好な反応を示すが、その他の方向からの検知に関しては、どうしても検知しづらいという問題がある。
【００３５】
そこで、本発明ではダストセンサ８５の検知部分が多方向で、その一つ一つの開口部が大きく設けられていることが好ましい点に鑑みて、図１４（ａ）（ｂ）に示すように、本体ケース１５に組み込まれるダストセンサ８５の入口部８５ａが本体ケース１５の側面１５ｂ方向、出口部８５ｂが本体ケース１５の前面１５ａ方向に向けられている。このように、ダストセンサ８５の出口部８５ｂを本体ケース１５の前面１５ａ方向に出してくることにより、送風ファン停止状態の場合にダストセンサ８５の出口部８５ｂとして使用される開口部も粉塵の入口となり、開口面積が増加して、ダストセンサ８５内により多くの空気を送り込むことができると共に、粉塵の侵入方向が入口部８５ａと出口部８５ｂの２方向となるので、効果的に汚れを検知することができるようになり、検知精度を高めることができる。また、ダストセンサ８５が汚れを検知して送風ファンが動き出すと、本体ケース１５の側面１５ｂ部はダストセンサ８５に流入する空気の吸込部となり、前面１５ａ部がダストセンサ８５に流入した空気の吐出部となり、その役割が固定されたものとなる。なお、ダストセンサ８５の入口部８５ａを本体ケース１５の前面１５ａ方向、出口部８５ｂを側面１５ｂ方向に向けてもよいものである。
【００３６】
図１５，図１６は更に他の実施形態を示している。図１５に示すように、本体ケース１５の前面側の開口部を覆うようにして前カバー１６が着脱自在に取り付けられている。前カバー１６はその下半分は例えば網状或いは多数の小孔状の吸込口１７となっている。また本体ケース１５の底面１５ｃも例えば網状或いは多数の小孔状の吸込口１８となっている。本体ケース１５内部の上方に配置された送風部１９（図７）によって、両方の吸込口１７，１８から吸い込まれた空気ハ、ニは、帯電部２、集塵部６等を通過して、空気中の粉塵や臭気を捕集、脱臭することができるものである。
【００３７】
ここで、２つの吸込口１７，１８を前面１５ａ方向と底面１５ｃ方向との２方向に分けることにより、壁掛けなどのように比較的高い位置に本体ケース１５が設置された場合に、底面１５ｃの吸込口１８を有効に使うことができるという利点がある。
【００３８】
なお、上記のように吸込口１７，１８を２方向に分けた場合、その２方向から吸い込まれた気流ハ、ニが合流することになり、合流部では複雑な流れとなり、損失が生じるという問題が生じる。
【００３９】
そこで、本実施形態では、図１５、図１６に示すように、帯電部２の下方空間に垂直フィン９０を立設し、２方向から吸い込まれた気流を垂直フィン９０で分割し整流するようにしている。この垂直フィン９０は、吸込口１７の後方部と吸込口１８の上方部とを仕切る長尺の横フィン部９０ａと、横フィン部９０ａを支える短尺の複数の縦フィン部９０ｂとからなり、これにより２方向から吸い込まれた気流ハ，ニが合流するのを防止しながら、帯電部２側に送り込むことができ、損失を無くすことができる。また垂直フィン９０は、本体ケース１５の底面１５ｃを補強するための補強リブの役割も兼ねており、本体ケース１５の底面１５ｃに連続的に圧力がかかる場合や、さらに本体ケース１５が高温下に長時間さらされることによる本体ケース１５の変形を防止する役割をも果たすものである。
【００４０】
【発明の効果】
上記のように本発明のうち請求項１記載の発明は、放電部と対極部とからなり、放電部から対極部に向かう放電により粉塵を帯電させる帯電部と、帯電した粉塵を捕集するための集塵部と、帯電部及び集塵部に空気を送る送風手段とを備えた空気清浄器において、対極部が多数の開口孔を有する導電板で構成され、この導電板は複数の円弧部が連続して配列された断面波形形状に形成され、且つ各円弧部の略中心に放電部がそれぞれ位置しているから、放電部から導電板に向かって放射状に放電が行われるので、放電範囲が広がり，粉塵が帯電部を通過する際の時間が長くなって、粉塵が帯電されるチャンスが増大する。しかも、導電板には多数の開口孔が形成されているので、送風の妨げにならず、風量の低下防止、騒音防止を図ることができる結果、対極部による送風の妨げをできる限り小さくしながら、集塵性能を向上させることが可能となる。
さらに上記導電板は複数の円弧部が連続して配列された断面波形形状に形成され且つ各円弧部の配列方向に沿う端部が折り曲げられており、電極枠の両端部には上記導電板の折り曲げられた端部を保持するための突起部が設けられ、突起部は、電極枠の端部の上下方向の略中央部から内側に向けて突出した水平リブと、電極枠の端部と隙間をあけて配置される垂直リブとからなり、垂直リブと電極枠の端部との間が上方に開口した収納部となっていると共に、電極枠の突起部が設けられた端部と直交する側部に、導電板の側部を載置する波形状の導電板支持部を突設させたので、導電板の折り曲げられた端部を電極枠の両端部に設けた突起部の収納部に挿入することにより、電極枠に強度を持たせることができ、例えば本体ケースから取り出した際に電極枠が変形するのを防止でき、取り扱い性が向上することとなる。また、導電板が洗浄の際に変形したような場合においても、導電板の折り曲げられた端部を電極枠の突起部に挿入すると共に電極枠の側部に設けた波形状の導電板支持部に導電板の側部を載置することで、さらに加えて導電板の折り曲げられた端部の内面が突起部の垂直リブに保持されて導電板の変形が防がれることで、電極枠によって導電板の変形に対する矯正を行うことができ、導電板の各円弧部と放電部との位置ずれ等を防止できるので、粉塵の帯電効率を下げることなく、集塵性能を高く維持することができる。つまり突起部は電極枠の変形防止と、導電板の変形を矯正する役割を有している。
【００４１】
また請求項２記載の発明は、請求項１記載の効果に加えて、導電板における各円弧部の配列方向に沿う端部を折り曲げて、回路と電気的に接続される接点接触部としたから、深絞りなどの複雑な加工をすることなく、簡単なプレス加工で円弧部の波形形状と接点接触部の曲げ形状とを同時に且つ簡単に形成でき、生産効率が向上する。
【００４２】
また請求項３記載の発明は、請求項２記載の効果に加えて、導電板の接点接触部が、回路と電気的に接続される集塵部の接点接触部と共通化されているから、帯電部と集塵部と回路相互の配線を簡略化できると共に、低コスト化と組立の簡略化とを図ることができる。
【図面の簡単な説明】
【図１】本発明の実施形態の一例を示す断面図である。
【図２】同上の帯電部の分解斜視図である。
【図３】同上のパンチングネットの取り付け状態を説明する断面図である。
【図４】同上のパンチングネットの取り付け状態を説明する断面図である。
【図５】（ａ）（ｂ）はパンチングネットの固定方法の説明図である。
【図６】同上の空気清浄器の斜視図である。
【図７】同上の空気清浄器の側面断面図である。
【図８】同上のフィルターブロックの装着方法の説明図である。
【図９】同上の接点部材の斜視図である。
【図１０】他の実施形態の概略断面図である。
【図１１】（ａ）は同上のパンチングネットを装着した電極枠の斜視図、（ｂ）は電極枠の変形を説明する斜視図である。
【図１２】（ａ）（ｂ）は同上のパンチングネットの電極枠への取り付け状態を説明する断面図である。
【図１３】更に他の実施形態の断面図である。
【図１４】（ａ）（ｂ）はダストセンサを説明する斜視図である。
【図１５】更に他の実施形態の断面図である。
【図１６】同上の切り欠き斜視図である。
【図１７】従来例の帯電部の斜視図である。
【図１８】従来例の導電板の配置状態の断面図である。
【図１９】（ａ）（ｂ）は従来例の帯電部の側面図及び下面図である。
【図２０】他の従来例の断面図である。
【符号の説明】
１  空気清浄器
２  帯電部
３  放電部
４  導電板
６  集塵部
７  導電板
８ｂ  折り曲げられた端部
９  円弧部
１０，２０  接点接触部
１４  開口孔
１５  本体ケース
２５  電極枠
２５ｂ  端部
２６  放電線
４５  突起部
Ａ  配列方向
Ｍ  略中心
【図１】
0003835040.tif 000002
【図２】
0003835040.tif 000003
【図３】
0003835040.tif 000004
【図４】
0003835040.tif 000005
【図５】
0003835040.tif 000006
【図６】
0003835040.tif 000007
【図７】
0003835040.tif 000008
【図８】
0003835040.tif 000009
【図９】
0003835040.tif 000010
【図１０】
0003835040.tif 000011
【図１１】
0003835040.tif 000012
【図１２】
0003835040.tif 000013
【図１３】
0003835040.tif 000014
【図１４】
0003835040.tif 000015
【図１５】
0003835040.tif 000016
【図１６】
0003835040.tif 000017
【図１７】
0003835040.tif 000018
【図１８】
0003835040.tif 000019
【図１９】
0003835040.tif 000020
【図２０】
0003835040.tif 000021